(57)【要約】【課題】小型化を図ることができる電気接続箱を提供する。【解決手段】電気接続箱１は箱本体２と配線ブロック３を備えている。箱本体２はカセットブロック５を備えている。配線ブロック３は第１のバスバ２１と第２のバスバ２２とヒューズ２３を備えている。バスバ２１，２２は電気部品接続部２４と電源接続部２５を備えている。電気部品接続部２４はカセットブロック５に取り付けられる電気部品と接続する。電源接続部２５はヒューズ接続片２９と接続片３０を備えている。接続片３０には電源と接続した端子金具が接続する。ヒューズ２３はバスバ２１，２２のヒューズ接続片２９同士を接続する。【選択図】図５
2008125317.tif 000002
【特許請求の範囲】
【請求項１】
第１の電源と接続する接続部を有した第１のバスバと、
第２の電源と接続する接続部を有した第２のバスバと、
前記第１のバスバと前記第２のバスバとを接続したヒューズとを備えた電気接続箱において、
前記第１のバスバと前記第２のバスバの前記接続部の近傍に、前記ヒューズと前記第１のバスバ及び前記第２のバスバの各々とを接続するヒューズ接続部を設けたことを特徴とする電気接続箱。
【請求項２】
前記接続部各々は、当該接続部を貫通したボルトがナットにねじ込まれることで、前記電源各々と接続されるとともに、
前記ヒューズ接続部が、前記接続部と前記ボルトの長手方向に沿って重なる位置に配置されていることを特徴とする請求項１記載の電気接続箱。
【請求項３】
前記第１のバスバと前記第２のバスバとを収容する箱本体を備え、
前記箱本体は、前記ヒューズ接続部に接続された前記ヒューズを収容するヒューズ収容室と、当該ヒュース収容室の外壁を貫通して前記箱本体の外側から前記ヒューズを視認可能とするのぞき孔と、を備えたことを特徴とする請求項２記載の電気接続箱。
【請求項４】
前記のぞき孔が、前記ボルトの長手方向に沿って直線状に延在した長孔であることを特徴とする請求項３記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱（例えば、特許文献１及び２参照）とも呼ばれる。本明細書では、前述したヒューズブロック、リレーボックス、ジャンクションブロックを、総称して以下電気接続箱と呼ぶ。
【０００５】
前述した特許文献１及び２に示された電気接続箱は、外郭を形成する箱本体と、配線ブロックとを備えている。箱本体は、絶縁性の合成樹脂で構成されて、箱状に形成されている。箱本体には、リレーやヒューズなどの電気部品が装着される装着部と、ワイヤハーネスのコネクタが嵌合するコネクタ嵌合部とが設けられている。
【０００６】
配線ブロックは、箱本体内に収容される。配線ブロックは、第１の電源としてのバッテリと接続される第１のバスバと、第２の電源としての発電機と接続される第２のバスバと、前記第１のバスバと前記第２のバスバとを接続するヒューズと、接続用端子と、を備えている。
【０００７】
前記第１のバスバと前記第２のバスバは、それぞれ、導電性の板金で構成されている。前記第１のバスバと前記第２のバスバは、それぞれ、前記バッテリや発電機と接続する電源接続部と、前記配線ブロックが前記箱本体内に収容されると前記装着部内に位置して前記リレーやヒューズなどの電気部品と接続される端子部と、を備えている。
【０００８】
前記ヒューズは、前記第１のバスバと前記第２のバスバの前記電源接続部から離れた箇所同士を接続している。前記接続用端子は、一部が装着部内に位置して前記リレーやヒューズなどの電気部品と接続され、他の一部がコネクタ嵌合部内に位置してワイヤハーネスのコネクタと接続する。
【０００９】
前述した電気接続箱は、配線ブロックが電源と電気部品とワイヤハーネスの各電線とを予め定められたパターンにしたがって互いに電気的に接続して、前記電源と電気部品とワイヤハーネスの各電線に接続した各電子機器とを予め定められたパターンにしたがって互いに電気的に接続する。そして、電気接続箱は、ワイヤハーネスが接続した各電子機器に所望の電力を供給する。
【特許文献１】特開平１０−２４１５４７号公報
【特許文献２】特開２００１−１５５６１８号公報
【発明の開示】
【発明が解決しようとする課題】
【００１０】
前述した電気接続箱は、前記ヒュースをバスバの電源接続部から離れた箇所同士を接続しているため、当該バスバにはその略全長に亘って電源からの大きな電力が流れる。このため、バスバ自体の発熱などを防止するために、従来の電気接続箱は、前記バスバの幅をその全長に亘って広く形成する必要があった。バスバをその全長に亘って幅を広く形成すると、勿論、バスバ即ち配線ブロックが大型化して、電気接続箱自体が大型化する傾向であった。
【００１１】
したがって、本発明の目的は、小型化を図ることができる電気接続箱を提供することにある。
【課題を解決するための手段】
【００１２】
前記課題を解決し目的を達成するために、請求項１に記載の本発明の電気接続箱は、第１の電源と接続する接続部を有した第１のバスバと、第２の電源と接続する接続部を有した第２のバスバと、前記第１のバスバと前記第２のバスバとを接続したヒューズとを備えた電気接続箱において、前記第１のバスバと前記第２のバスバの前記接続部の近傍に、前記ヒューズと前記第１のバスバ及び前記第２のバスバの各々とを接続するヒューズ接続部を設けたことを特徴としている。
【００１３】
請求項２に記載の本発明の電気接続箱は、請求項１記載の電気接続箱において、前記接続部各々は、当該接続部を貫通したボルトがナットにねじ込まれることで、前記電源各々と接続されるとともに、前記ヒューズ接続部が、前記接続部と前記ボルトの長手方向に沿って重なる位置に配置されていることを特徴としている。
【００１４】
請求項３に記載の本発明の電気接続箱は、請求項２記載の電気接続箱において、前記第１のバスバと前記第２のバスバとを収容する箱本体を備え、前記箱本体は、前記ヒューズ接続部に接続された前記ヒューズを収容するヒューズ収容室と、当該ヒュース収容室の外壁を貫通して前記箱本体の外側から前記ヒューズを視認可能とするのぞき孔と、を備えたことを特徴としている。
【００１５】
請求項４に記載の本発明の電気接続箱は、請求項３記載の電気接続箱において、前記のぞき孔が、前記ボルトの長手方向に沿って直線状に延在した長孔であることを特徴としている。
【００１６】
請求項１に記載した本発明の電気接続箱によれば、ヒューズを接続部の近傍に接続するので、バスバを流れる電力がそのバスバの全長に亘って大電力となることを防止できる。
【００１７】
請求項２に記載した本発明の電気接続箱によれば、ヒューズ接続部を、接続部とボルトの長手方向に沿って重なる位置に配置しているので、接続部の近傍のスペースが無駄になることを防止できる。
【００１８】
請求項３に記載した本発明の電気接続箱によれば、箱本体に設けられたヒューズ収容室の外壁にのぞき孔が設けられているので、ヒューズ収容室内のヒューズを目視でき、当該ヒューズが溶断したか否かを容易に把握できる。
【００１９】
請求項４に記載した本発明の電気接続箱によれば、のぞき孔が長孔であるので、ボルトの長手方向に沿って斜め方向からヒューズ収容室内のヒューズを目視できる。
【発明の効果】
【００２０】
以上説明したように請求項１に記載の本発明は、バスバを流れる電力がそのバスバの全長に亘って大電力となることを防止できる。即ち、バスバの接続部から離れた部分を流れる電力を小さくすることができる。このため、バスバをその全長に亘って幅を広くする必要が生じずに、特にバスバの接続部から離れた部分の幅を小さくすることができる。したがって、バスバの小型化を図ることができ、電気接続箱自体の小型化を図ることができる。
【００２１】
請求項２に記載の本発明は、接続部の近傍のスペースが無駄になることを防止できるので、電気接続箱自体のより小型化を図ることができる。
【００２２】
請求項３に記載の本発明は、ヒューズ収容室内のヒューズを目視でき、当該ヒューズが溶断したか否かを容易に把握できる。
【００２３】
請求項４に記載の本発明は、ボルトの長手方向に沿って斜め方向からヒューズ収容室内のヒューズを目視できるので、より広範囲からヒューズを目視でき、当該ヒューズが溶断したか否かをより確実に把握できる。
【発明を実施するための最良の形態】
【００２４】
以下、本発明の一実施形態にかかる電気接続箱を、図１ないし図７に基づいて説明する。本実施形態にかかる図１に示す電気接続箱１は、移動体としての自動車に搭載される。
【００２５】
電気接続箱１は、図１に示すように、箱本体２と、配線ブロック３とを備えている。
【００２６】
箱本体２は、図１に示すように、本体部４と、カセットブロック５と、図示しないアッパカバーと、ロアカバー６と、サイドカバー７とを備えている。本体部４は、絶縁性の合成樹脂で構成され、周知の射出成型によって成型される。本体部４は、図２に示すように、互いに連なる複数の外壁８により筒状に形成されている。また、本体部４には、該本体部４内を仕切る隔壁９が設けられている。
【００２７】
さらに、本体部４の図２中の上方側の表面（以下、上面と呼ぶ）には、電気部品としてのリレーやヒューズなどが装着される装着部が設けられ、図２中の下方側の表面（以下、下面と呼ぶ）には、図示しないワイヤハーネスのコネクタが嵌合するコネクタ嵌合部が設けられている。
【００２８】
ワイヤハーネスは、勿論、複数の電線と、該電線の端末に取り付けられたコネクタなどを備えている。コネクタは、前述したコネクタ嵌合部や自動車に搭載される各種の電子機器に嵌合する。また、本体部４は、前述した装着部に装着された電気部品と、コネクタ嵌合部に嵌合したワイヤハーネスのコネクタの端子と、を予め定められたパターンにしたがって、電気的に接続するバスバなどを収容している。
【００２９】
カセットブロック５は、絶縁性の合成樹脂で構成され、図４及び図５に示すように、本体部４内に収容可能な大きさの箱状に形成されている。カセットブロック５は、本体部４の図２中の下方側の開口を通して、本体部４内に収容される。カセットブロック５は、配線ブロック３の後述するバスバ２１，２２を収容するスリット状のバスバ収容溝が設けられている。
【００３０】
カセットブロック５の図２及び図４中の上方側の表面（以下、上面と呼ぶ）には、電気部品としてのリレーやヒューズなどが装着される装着部が設けられ、図２及び図４中の下方側の表面（以下、下面と呼ぶ）には、前述したワイヤハーネスのコネクタや端子金具が嵌合する嵌合部が設けられている。
【００３１】
また、カセットブロック５の上面には、端子取付部１２が二つ設けられている。端子取付部１２は、前述したバスバ収容溝の端に位置しているとともに、その表面が平坦に形成されている。端子取付部１２には、図示しないナットが埋設されている。
【００３２】
端子取付部１２は、その表面にバスバ２１，２２の後述する接続片３０と後述する電源と接続した端子金具１１（図４に示す）の電気接触部１３とが順に重ねられて、当該接続片３０に設けられた貫通孔３３と電気接触部１３の孔１３ａ内を通ったボルト１０が前記ナットにねじ込まれることで、端子金具１１の電気接触部１３を接続片３０とボルト１０の頭との間に挟んで、該端子金具１１を取り付ける。
【００３３】
アッパカバーは、絶縁性の合成樹脂で構成され、周知の射出成型によって成型される。アッパカバーは、互いに連なる複数の外壁を備えて、有底筒状に形成されている。アッパカバーは、本体部４の上面を覆う状態で、該本体部４に取り付けられる。
【００３４】
ロアカバー６は、絶縁性の合成樹脂で構成され、周知の射出成型によって成型される。ロアカバー６は、図１及び図３に示すように、互いに連なる複数の外壁１４を備えて、有底筒状に形成されている。ロアカバー６は、本体部４の下面を覆う状態で、該本体部４に取り付けられる。
【００３５】
サイドカバー７は、絶縁性の合成樹脂で構成され、周知の射出成形により成形される。サイドカバー７は、本体部４に取り付けられて、この本体部４に取り付けられたカセットブロック５の端子取付部１２を覆う。サイドカバー７は、図１及び図２に示すように、本体部４に取り付けられると当該本体部４の外壁８と間隔をあける側壁部１５と、当該側壁部１５の端に連なりかつ本体部４に取り付けられると当該本体部４の上面と間隔をあける上壁部１６とを一体に備えている。サイドカバー７は、本体部４に取り付けられて、端子取付部１２とこの端子取付部１２に取り付けられた端子金具１１とを覆う。
【００３６】
また、前述した箱本体２は、図７に示すヒューズ収容室１７が設けられている。ヒューズ収容室１７は、箱本体２内に設けられた空間であり、カセットブロック５に取り付けられた配線ブロック３の後述するヒューズ２３を収容する空間である。ヒューズ収容室１７は、カセットブロック５の端子取付部１２の近傍に位置する複数の壁１８（図４及び図５に示す）と、本体部４の外壁８によって囲まれて形成されている。さらに、ヒューズ収容室１７を構成する本体部４の外壁８には、図２及び図７に示すのぞき孔１９が貫通している。
【００３７】
のぞき孔１９は、前述したボルト１０の長手方向に沿って直線状に延在した長孔であり、ヒューズ収容室１７内に収容されたヒューズ２３を本体部４即ち箱本体２の外側から視認可能としている。また、のぞき孔１９は、図７中の一点鎖線で示すように、該図７中の上方から前記ヒューズ２３を本体部４即ち箱本体２の外側から視認可能としている。また、のぞき孔１９は、本体部４に取り付けられたサイドカバー７の側壁部１５によって覆われる。
【００３８】
箱本体２は、本体部４及び当該本体部４に装着されたカセットブロック５に前述したリレーやヒューズなどの電気部品を装着するとともに、ワイヤハーネスのコネクタを嵌合して、前述した端子取付部１２に端子金具１１を取り付けて、本体部４に前述したようにアッパカバーとロアカバー６とを取り付けることで、前述したリレーやヒューズなどの電気部品や端子金具１１を収容する。
【００３９】
配線ブロック３は、図５及び図６に示すように、第１のバスバ２１と、第２のバスバ２２と、これらのバスバ２１，２２同士を接続したヒューズ２３と、図示しない接続用端子と、を備えている。
【００４０】
第１のバスバ２１と第２のバスバ２２は、それぞれ、導電性の板金で構成されている。これらのバスバ２１，２２は、互いに構成が略等しいので、以下、同一部分には同一符号を付して説明する。
【００４１】
バスバ２１，２２は、図５及び図６に示すように、それぞれ、電気部品接続部２４と、電源接続部２５とを備えている。電気部品接続部２４は、互いに平行な一対の平行部２６と、該平行部２６の端同士を連結した連結部２７とを備えて、平面形状がコ字状に形成されている。平行部２６には、カセットブロック５の装着部内に位置して、前述したリレーやヒューズなどと接続する端子部２８が複数設けられている。電気部品接続部２４は、その幅Ｈが全長に亘って一定に形成されている。
【００４２】
電源接続部２５は、ヒューズ接続部としてのヒューズ接続片２９と、接続部としての接続片３０とを一体に備えている。ヒューズ接続片２９は、帯板状に形成されており、電気部品接続部２４の連結部２７に重ねられて取り付けられている。ヒューズ接続片２９には、ヒューズ固定用のボルト３１が螺合するナット３２が一体に形成されている。
【００４３】
接続片３０は、ヒューズ接続片２９の図５中の上方に位置する縁から立設している。このため、ヒューズ接続片２９は、接続片３０とボルト１０の長手方向に沿って重なる位置に配置されている。即ち、ヒューズ接続片２９は、接続部としての接続片３０の近傍に配置されている。接続片３０には、ボルト１０を通す貫通孔３３が設けられている。
【００４４】
前述した電源接続部２５の長さＬ（ヒューズ接続片２９の長さともいう）は、前述した電気部品接続部２４の幅Ｈよりも大きく形成されている。第１のバスバ２１の電源接続部２５の接続片３０には、第１の電源としての発電機と電線３４を介して接続した端子金具１１が取り付けられる。第２のバスバ２２の電源接続部２５の接続片３０には、第２の電源としてのバッテリと電線３４を介して接続した端子金具１１が取り付けられる。
【００４５】
ヒューズ２３は、可溶体を含んだ本体部３５と、この本体部３５から互いに離れる方向に延在した一対の端子部３６とを備えている。端子部３６には、各々、ヒューズ接続用のボルト３１を通す孔が設けられている。一対の端子部３６は、勿論、可溶体と連結している。
【００４６】
ヒューズ２３は、一方の端子部３６が第１のバスバ２１の電源接続部２５のヒューズ接続片２９に重ねられ、他方の端子部３６が第２のバスバ２２の電源接続部２５のヒューズ接続片２９に重ねられて、孔を通ったボルト３１がナット３２に螺合することで、バスバ２１，２２同士を接続して、これらのバスバ２１，２２に取り付けられる。ヒューズ２３は、バスバ２１，２２間を流れる電流が、予め定められた電流値を超えると、可溶体が溶断して、バスバ２１，２２間の電流の流れを遮断する。
【００４７】
接続用端子は、一部がカセットブロック５の装着部内に位置して前記リレーやヒューズなどの電気部品と接続され、他の一部がカセットブロック５の嵌合部内に位置してワイヤハーネスの端子と接続する。
【００４８】
前述した配線ブロック３は、バスバ収容溝内にバスバ２１，２２の主に電気部品接続部２４が収容され、電源接続部２５のヒューズ接続片２９及びヒューズ２３がヒューズ収容室１７内に収容され、電源接続部２５の接続片３０が端子取付部１２上に重ねられて、カセットブロック５に取り付けられる。即ち、第１のバスバ２１と第２のバスバ２２は、箱本体２のカセットブロック５内に収容される。そして、配線ブロック３は、端子取付部１２に端子金具１１が取り付けられることで、端子金具１１及び電線３４を介して、発電機及びバッテリと接続される。
【００４９】
また、配線ブロック３は、カセットブロック５が本体部４に取り付けられ、装着部に電気部品が装着され、嵌合部にワイヤハーネスの端子が嵌合すると、前述した電源と電気部品とワイヤハーネスが接続した各種の電子機器とをあらかじめ定められたパターンにしたがって電気的に接続する。そして、配線ブロック３は、電源からの電力を、電気部品を介して各種の電子機器に供給する。
【００５０】
本実施形態によれば、ヒューズ２３を接続片３０の近傍に接続するので、バスバ２１，２２内を流れる電力がそのバスバ２１，２２の全長に亘って大電力となることを防止できる。即ち、バスバ２１，２２の接続片３０から離れた部分を流れる電力を小さくすることができる。このため、バスバ２１，２２をその全長に亘って幅Ｈを広くする必要が生じずに、特にバスバ２１，２２の接続片３０から離れた部分の幅Ｈを小さくすることができる。したがって、バスバ２１，２２の小型化を図ることができ、電気接続箱１自体の小型化を図ることができる。
【００５１】
ヒューズ接続片２９を、接続片３０とボルト１０の長手方向に沿って重なる位置に配置しているので、接続片３０の近傍のスペースが無駄になることを防止できる。したがって、電気接続箱１自体を、より小型化にできる。
【００５２】
箱本体２に設けられたヒューズ収容室１７の外壁８にのぞき孔１９が設けられているので、ヒューズ収容室１７内のヒューズ２３を目視でき、当該ヒューズ２３が溶断したか否かを容易に把握できる。
【００５３】
のぞき孔１９が長孔であるので、ボルト１０の長手方向に沿って斜め方向からヒューズ収容室１７内のヒューズ２３を目視できる。したがって、より広範囲からヒューズ２３を目視でき、当該ヒューズ２３が溶断したか否かをより確実に把握できる。
【００５４】
前述した実施形態では、ボルト１０の長手方向に沿って接続片３０とヒューズ接続片２９とを互いに重なる位置に配置している。しかしながら、本発明では、接続片３０とヒューズ接続片２９とを互いに重ならない位置に配置しても良い。要するに、本発明では、ヒューズ接続部２９を接続片３０の近傍に配置すれば良い。
【００５５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５６】
【図１】本発明の一実施形態に係る電気接続箱の斜視図である。
【図２】図１に示された電気接続箱の分解斜視図である。
【図３】図１に示された電気接続箱の本体部からサイドカバーを取り外した状態を示す斜視図である。
【図４】図２に示された電気接続箱のカセットブロックと端子金具などを示す斜視図である。
【図５】図２に示された電気接続箱のカセットブロックと配線ブロックなどを示す斜視図である。
【図６】図５に示された配線ブロックの平面図である。
【図７】図３中のＶＩＩ−ＶＩＩ線で示す断面を示す斜視図である。
【符号の説明】
【００５７】
１  電気接続箱
２  箱本体
８  外壁
１０  ボルト
１７  ヒューズ収容室
１９  のぞき孔
２１  第１のバスバ
２２  第２のバスバ
２３  ヒューズ
２９  ヒューズ接続片（ヒューズ接続部）
３０  接続片（接続部）
【図１】
2008125317.tif 000003
【図２】
2008125317.tif 000004
【図３】
2008125317.tif 000005
【図４】
2008125317.tif 000006
【図５】
2008125317.tif 000007
【図６】
2008125317.tif 000008
【図７】
2008125317.tif 000009